(57)【要約】【課題】経年変化や振動により、振動スピーカの収容体への固定が緩んだ場合であっても、振動スピーカの位置ずれにより、他の部品との接触を防止することが可能な表示装置等を提供すること。【解決手段】表示装置１において、前側に映像を表示する表示部と、振動スピーカ１４と、前記表示部を収容し、前記振動スピーカ１４を固定し、前記振動スピーカ１４の固定部分の周囲に突起部１１ｂを有する収容体１０とを備える。【選択図】図５
2016195353.tif 000002
【特許請求の範囲】
【請求項１】
前側に映像を表示する表示部と、
振動スピーカと、
前記表示部を収容し、前記振動スピーカを固定し、前記振動スピーカの固定部分の周囲に突起部を有する収容体とを
備えることを特徴とする表示装置。
【請求項２】
前記突起部は、前記表示部の前側から後側へ向かう方向に突出する
ことを特徴とする請求項１に記載の表示装置。
【請求項３】
前記突起部は、前記振動スピーカの周縁に沿い、距離をおいて設けてある
ことを特徴とする請求項１又は請求項２に記載の表示装置。
【請求項４】
前記収容体は、
前記表示部の周縁を覆う枠状の前側収容体と、前記表示部の後側を覆う後側収容体と、前記前側収容体の前面を覆い、前記前側収容体又は後側収容体よりも柔らかい材質で形成した化粧板とを有し、
前記突起部は前記前側収容体に形成され、
前記振動スピーカは、前記化粧板に固定してある
ことを特徴とする請求項１から３のいずれ一項に記載の表示装置。
【請求項５】
前記振動スピーカは、両面テープを介して前記化粧板に固定されている
ことを特徴とする請求項４に記載の表示装置。
【請求項６】
前記収容体は、前記振動スピーカの周囲に、前記表示部の後側から前側へ向かう方向に突出する第２突起部を有する
ことを特徴とする請求項１に記載の表示装置。
【請求項７】
前記後側収容体は、前記表示部の後側から前側へ向かう方向に突出し、前記突起部よりも前記振動スピーカの近傍に形成された第２突起部を有する
ことを特徴とする請求項４又は５に記載の表示装置。
【請求項８】
請求項１から７のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、振動スピーカを備えた表示装置等に関する。
【背景技術】
【０００２】
近年、家屋において、表示装置は居間だけではなく、浴室にも設置される場合がある。浴室は水が使用されるため、表示装置には防水性能が求められる。スピーカを備えた表示装置の場合、スピーカの設置構造に考慮が必要となる。一般的なスピーカは、ボイスコイルと、ボイスコイルを駆動する駆動回路と、ボイスコイルにより振動するコーンを含む。コーンは紙で形成されるので、水に弱い。通常、スピーカのコーン含む振動部はカバー等が配されるものの、外部空間に接していることが望ましい。スピーカの振動部を密閉してしまうと、高域の音の特性が低下し、全体としてはこもった音になってしまうからである。したがって、一般的なスピーカは防水のため密閉して使うのには適していない。
【０００３】
そこで、防水機能が求められる表示装置のスピーカにおいては、コーンを備えていない振動スピーカが採用されている。振動スピーカは、ボイスコイルと、ボイスコイルを駆動する駆動回路と、ボイスコイルに発生する磁界により振動する振動膜（たとえば、ダイヤフラム）と、振動膜を保護する役目も担う筐体とを備える。振動スピーカは外部に音を出力するために、筐体に振動板を取り付けて使用される。例えば、特許文献１には、映像表示部の前に設けた板状部材であるミラー板に、振動スピーカを固定し、ミラー板を振動板として利用するテレビジョン受信機が記載されている。
【先行技術文献】
【特許文献】
【０００４】
【特許文献１】特開２００４−２２２２０５号公報
【発明の概要】
【発明が解決しようとする課題】
【０００５】
しかしながら、振動板として用いる板状部材に比較的重量のある振動スピーカを固定して使用する場合、振動スピーカから固定部材に長期間にわたり振動が与えられる。そのため、振動スピーカと板状部材との固定が緩み、振動スピーカの位置ずれが発生することがある。振動スピーカの筐体は多くの場合、金属で形成され、導電性を有するので、位置ずれを起こした振動スピーカが周辺に配置されたプリント基板や電子部品などに触れると、プリント基板や電子部品がショートにより破損するおそれがある。
【０００６】
本発明は斯かる事情に鑑みてなされたものであって、振動スピーカの固定が緩んだとしても、位置ずれによる不具合の発生を防止する構造を備える表示装置等を提供することにある。
【課題を解決するための手段】
【０００７】
本発明に係る表示装置は、前側に映像を表示する表示部と、振動スピーカと、前記表示部を収容し、前記振動スピーカを固定し、前記振動スピーカ固定部分の周囲に突起部を有する収容体とを備えることを特徴とする。
【０００８】
本発明に係る表示装置は、前記突起部は、前記表示部の前側から後側へ向かう方向に突出することを特徴とする。
【０００９】
本発明に係る表示装置は、前記突起部は、前記振動スピーカの周縁に沿い、距離をおいて設けてあることを特徴とする。
【００１０】
本発明に係る表示装置は、前記収容体は、前記表示部の周縁を覆う枠状の前側収容体と、前記表示部の後側を覆う後側収容体と、前記前側収容体の前面を覆い、前記前側収容体又は後側収容体よりも柔らかい材質で形成した化粧板とを有し、前記突起部は前記前側収容体に形成され、前記振動スピーカは、前記化粧板に固定してあることを特徴とする。
【００１１】
本発明に係る表示装置は、前記振動スピーカは、両面テープを介して前記化粧板に固定されていることを特徴とする。
【００１２】
本発明に係る表示装置は、前記収容体は、前記振動スピーカの周囲に、前記表示部の後側から前側へ向かう方向に突出する第２突起部を有することを特徴とする。
【００１３】
本発明に係る表示装置は、前記後側収容体は、前記表示部の後側から前側へ向かう方向に突出し、前記突起部よりも前記振動スピーカの近傍に形成された第２突起部を有することを特徴とする。
【００１４】
本発明に係るテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてあることを特徴とする。
【発明の効果】
【００１５】
本発明にあっては、振動スピーカの固定が緩んだとしても、位置ずれによる不具合の発生を防止することが可能となる。
【図面の簡単な説明】
【００１６】
【図１】表示装置の一例を示す外観斜視図である。
【図２】表示装置の一例を示す外観斜視図である。
【図３】リアキャビネットを外した表示装置の斜視図である。
【図４】リアキャビネットを示す斜視図である。
【図５】振動スピーカの取り付け部の近傍の部分拡大斜視図である。
【図６】振動スピーカを取り外したときの取り付け部近傍の部分拡大斜視図である。
【図７】図５のＶＩＩ−ＶＩＩ断面線による断面図である。
【図８】リアキャビネットの一例を示す部分拡大図である。
【図９】振動スピーカの取り付け部近傍の部分断面図である。
【図１０】振動スピーカの取り付け部近傍の部分断面図である。
【図１１】リブの例を示す平面図である。
【発明を実施するための形態】
【００１７】
以下、本発明を、その実施の形態を示す図面に基づいて詳述する。以下の説明では、図において矢符で示す上下、前後、及び左右を使用する。
【００１８】
実施の形態１
図１及び図２は表示装置１の一例を示す外観斜視図である。図１は表示装置１の前側を表している。図２は表示装置１の後側を表している。表示装置１はテレビジョン受信機として構成されている。表示装置１は、キャビネット（収容体）１０、表示部１３、振動スピーカ１４、チューナ部（受信部）１５を含む。
【００１９】
キャビネット１０は、フロントキャビネット１０ａとリアキャビネット１０ｂとを含む。フロントキャビネット１０ａは矩形枠状の枠部と枠部から垂直に立ち上がる側板部を含み、全体が箱型形状としてある。リアキャビネット１０ｂは表示装置１の後側を覆っている。リアキャビネット１０ｂはフロントキャビネット１０ａに固定されている。フロントキャビネット１０ａ及びリアキャビネット１０ｂは、プラスチックなどの樹脂で形成されている。
【００２０】
表示部１３は液晶パネルを含み、前側の映像表示面に映像を表示する。表示部１３の映像表示面の周縁を、フロントキャビネット１０ａの枠部が覆うようにしてある。表示部１３は、フロントキャビネット１０ａに固定されている。
【００２１】
フロントキャビネット１０ａの前側には、フロントキャビネット１０ａの略全面を覆う矩形板状の化粧板１２が固定されている。化粧板１２は例えば、アクリル樹脂により形成する。化粧板１２は接着剤等によりフロントキャビネット１０ａに固定される。化粧板１２において、表示部１３の映像表示面に対応する部分は、透明となっている。
【００２２】
振動スピーカ１４は、表示装置１の上側の左右に１個ずつ、計２個が配されている。各振動スピーカ１４はフランジを設けた略円柱状をなしている。フロントキャビネット１０ａにおいて、振動スピーカ１４の設置位置には、振動スピーカ１４の前面形状に合わせた貫通孔１１ｃ（図５参照）が設けてある。振動スピーカ１４は当該貫通孔１１ｃに対応する部分の化粧板１２に固定される。
【００２３】
表示装置１の左側、振動スピーカ１４の下側には、基板１５０に取り付けられたチューナ部１５が配されている。チューナ部１５が取り付けられた基板１５０は、フロントキャビネット１０ａに固定されている。チューナ部１５は、図示しないアンテナを介してテレビジョン放送波を受信し、放送信号を取り出す。チューナ部１５により取り出された放送信号に基づき、表示部１３の前側の映像表示面に映像が表示される。
【００２４】
図３はリアキャビネット１０ｂを外した表示装置１の斜視図である。図４はリアキャビネット１０ｂを示す斜視図である。リアキャビネット１０ｂは、一面が開口された箱状をなしている。フロントキャビネット１０ａの周壁内側には、ねじ用ボス１１ａが後側に向けて突設されている。ねじ用ボス１１ａには雌ねじが切られている。リアキャビネット１０ｂの周壁内側には、ねじ用ボス１１ａに対応する位置にねじ挿通孔１６ａが形成されている。リアキャビネット１０ｂの周壁はフロントキャビネット１０ａの周壁の内側に差し込まれ、ねじ挿通孔１６ａを挿通したねじがねじ用ボス１１ａの雌ねじに螺合する。それにより、リアキャビネット１０ｂはフロントキャビネット１０ａに固定される。
【００２５】
なお、化粧板１２は、フロントキャビネット１０ａやリアキャビネット１０ｂよりも柔らかく（剛性が低く）なるようにする。化粧板１２は振動スピーカ１４の振動板としての役目も担うからである。それに対してフロントキャビネット１０ａやリアキャビネット１０ｂは筐体を形作るものであるからである。
【００２６】
図５は振動スピーカ１４の取り付け部近傍の部分拡大斜視図である。図６は振動スピーカ１４を取り外したときの取り付け部近傍の部分拡大斜視図である。図５及び図６は表示装置１の左上角付近を後側から見た図である。フロントキャビネット１０ａの前面の振動スピーカ１４が固定される箇所には、円形の貫通孔１１ｃが設けられており、当該貫通孔１１ｃは化粧板１２により塞がれている。振動スピーカ１４が固定される箇所の周囲には後側に突出するリブ（突起部）１１ｂが形成されている。
【００２７】
図７は図５のＶＩＩ−ＶＩＩ断面線による断面図である。振動スピーカ１４は前側の周縁部が両面テープＴを介して、化粧板１２に固定されている。両面テープＴはスポンジ付きのものである。化粧板１２は振動スピーカ１４が固定されている以外の部分において、両面テープＴを介してフロントキャビネット１０ａと固定されている。フロントキャビネット１０ａには、振動スピーカ１４の周囲に所定の距離をおいて、後側に突出するリブ１１ｂが形成されている。リブ１１ｂは振動スピーカ１４の上方の一部分を除く、側面を囲むように形成されている。リブ１１ｂが振動スピーカ１４の側面全周を囲んでいないのは、振動スピーカ１４に接続されるケーブルを通すためである。
【００２８】
実施の形態１に係る表示装置１は以下の効果を奏する。フロントキャビネット１０ａにリブ１１ｂを設けたことにより、経年変化や化粧板１２が歪んだことにより、振動スピーカ１４の化粧板１２への固定が緩んでも、リブ１１ｂが位置ずれを制限する。それにより、振動スピーカ１４が、大きく位置ずれすることを防ぐことが可能となる。また、振動スピーカ１４は、フロントキャビネット１０ａ及びリアキャビネット１０ｂよりも柔らかい材質で形成した化粧板１２に、スポンジ付きの両面テープＴを介して固定する。それにより、振動スピーカ１４からの振動に化粧板１２が共鳴し、音質の良い音を出力することが可能となる。さらに、柔らかい材質で形成した化粧板１２は、フロントキャビネット１０ａ及びリアキャビネット１０ｂよりも、振動スピーカ１４の振動に倣うので、振動による固定の緩みは発生しにくい。そして、リブ１１ｂは振動スピーカ１４の一部分を除く、側面を囲むように形成したので、リブ１１ｂを介してフロントキャビネット１０ａに伝わる振動スピーカ１４の振動は左右上下方向に略均等に伝わる。それにより、フロントキャビネット１０ａが振動することにより音質の劣化を防ぐことが可能となる。
【００２９】
実施の形態２
実施の形態２の表示装置１は、リアキャビネット１０ｂにもリブを設ける構成とする。当該構成を除いて、実施の形態２の表示装置１は実施の形態１と同様であるから、説明を省略する。図８はリアキャビネット１０ｂの一例を示す部分拡大図である。図８はリアキャビネット１０ｂの左上角付近を前側から見た図である。リアキャビネット１０ｂには前側に突出する円筒状のリブ（第２突起部）１６ｂが形成されている。リブ１６ｂはリアキャビネット１０ｂがフロントキャビネット１０ａに固定された場合に、振動スピーカ１４の側面を覆うような位置に形成されている。
【００３０】
図９は振動スピーカ１４の取り付け部近傍の部分断面図である。図９は表示装置１を水平な面で切った断面図である。リアキャビネット１０ｂに形成されたリブ１６ｂは振動スピーカ１４の側面の一部を覆っている。また、リブ１６ｂはフロントキャビネット１０ａに形成されたリブ１１ｂよりも、振動スピーカ１４に近傍に形成されている。
【００３１】
実施の形態２に係る表示装置１は、実施の形態１と同様に、経年変化や化粧板１２が歪んだことにより、振動スピーカ１４の化粧板１２への固定が緩んでも、リブ１６ｂが位置ずれを制限する。それにより、振動スピーカ１４が大きく位置ずれすることを防ぐことが可能となる。それにより、振動スピーカ１４が他の部品に接触することを防ぐことが可能となる効果を奏する。
【００３２】
実施の形態３
実施の形態３の表示装置１は、フロントキャビネット１０ａにはリブを設けず、リアキャビネット１０ｂのみにリブを設ける構成とする。当該構成を除いて、実施の形態３の表示装置１は実施の形態１と同様であるから、説明を省略する。図１０は振動スピーカ１４の取り付け部近傍の部分断面図である。図１０は表示装置１を水平な面で切った断面図である。リアキャビネット１０ｂに形成されたリブ１６ｂは振動スピーカ１４の上方の一部を除く、側面を囲むように形成されている。
【００３３】
実施の形態３に係る表示装置１は、実施の形態１と同様に、経年変化や化粧板１２が歪んだことにより、振動スピーカ１４の化粧板１２への固定が緩んでも、リブ１６ｂが位置ずれを制限する。それにより、振動スピーカ１４が大きく位置ずれすることを防ぐことが可能となる。それにより、振動スピーカ１４が他の部品に接触することを防ぐことが可能となる効果を奏する。
【００３４】
変形例
フロントキャビネット１０ａに設けるリブ１１ｂは、実施の形態１から３のように、振動スピーカ１４の側面の略全周を囲む形状に限らない。図１１はリブ１１ｂの例を示す平面図である。図１１Ａは、柱状のリブ１１ｂを振動スピーカ１４周囲の複数箇所に設けた例である。図１１Ｂは、板状のリブ１１ｂを振動スピーカ１４の下側部分のみ設けた例である。図１１Ｃは板状のリブ１１ｂを振動スピーカ１４の下側に斜めに２箇所、設けた例である。図１１Ｄは、柱状のリブ１１ｂを振動スピーカ１４の下側に複数、設けた例である。図１１Ｅは、振動スピーカ１４に筒状の規制部１４ｂを設け、規制部１４ｂを挿通する柱状のリブ１１ｂを設けた例である。図１１Ｆは、振動スピーカ１４の左右の側面に、側面に沿うようにリブ１１ｂを設けた例である。
【００３５】
変形例においても、実施の形態１と同様に、経年変化や化粧板１２が歪んだことにより、振動スピーカ１４の化粧板１２への固定が緩んでも、リブ１１ｂ又は規制部１４ｂが位置ずれを制限する。それにより、振動スピーカ１４が大きく位置ずれすることを防ぐことが可能となる。それにより、振動スピーカ１４が他の部品に接触することを防ぐことが可能となる効果を奏する。
【００３６】
なお、変形例ではリブ１１ｂをフロントキャビネット１０ａに設けるものとして示したが、同様なリブをリアキャビネット１０ｂにも設けても良い。また、フロントキャビネット１０ａにはリブ１１ｂを設けずに、リアキャビネット１０ｂのみに設けても良い。規制部１４ｂも同様に、リアキャビネット１０ｂに設けても良いし、フロントキャビネット１０ａには設けず、リアキャビネット１０ｂにのみ設けても良い。
【００３７】
また、実施の形態１〜３及び変形例においては、振動スピーカ１４は略円柱状としたが、それに限られない。振動スピーカ１４は多角柱状であっても良い。振動スピーカ１４が多角柱状である場合、振動スピーカ１４の形状に併せて、フロントキャビネット１０ａに設けるリブ１１ｂ、リアキャビネット１０ｂに設けるリブ１６ｂの形状も適宜、変えれば良い。
【００３８】
さらに、振動スピーカ１４は化粧板１２に固定するだけではなく、リアキャビネット１０ｂと固定しても良い。この場合、振動スピーカ１４へ伝わる振動を少なくするために、クッション材を介して固定するのが望ましい。振動スピーカ１４とクッション材、クッション材とリアキャビネット１０ｂとの固定は、両面テープや接着剤を用いれば良い。
【００３９】
本発明に係る表示装置１は、前側に映像を表示する表示部１３と、振動スピーカ１４と、前記表示部１３を収容し、前記振動スピーカ１４を固定し、前記振動スピーカ１４の固定部分の周囲に突起部１１ｂを有する収容体１０とを備えることを特徴とする。
【００４０】
本発明にあっては、収容体１０に突起部１１ｂを設けているので、振動スピーカ１４の固定が緩んだ場合であっても、振動スピーカ１４の位置ずれを制限することが可能となる。そして、振動スピーカ１４が他の部品と接触することを防ぐことが可能となる。
【００４１】
本発明に係る表示装置１は、前記突起部１１ｂは、前記表示部１３の前側から後側へ向かう方向に突出することを特徴とする。
【００４２】
本発明にあっては、突起部１１ｂは振動スピーカ１４の側部に位置するので、振動スピーカ１４の位置ずれを適切に制限することが可能となる。
【００４３】
本発明に係る表示装置１は、前記突起部１１ｂは、前記振動スピーカ１４の周縁に沿い、距離をおいて設けてあることを特徴とする。
【００４４】
本発明にあっては、突起部１１ｂを振動スピーカ１４の周縁に沿うように、距離をおいて設けてあるので、突起部１１ｂを介して収容体１０へ伝わる振動は小さく、略均一に伝わるので、音質の劣化を防ぐことが可能となる。
【００４５】
本発明に係る表示装置１は、前記収容体１０は、前記表示部１３の周縁を覆う枠状の前側収容体１０ａと、前記表示部の後側を覆う後側収容体１０ｂと、前記前側収容体１０ａの前面を覆い、前記前側収容体１０ａ又は前記後側収容体１０ｂよりも柔らかい材質で形成した化粧板１２とを有し、前記突起部１１ｂは前記前側収容体１０ａに形成され、前記振動スピーカ１４は、前記化粧板１２に固定してあることを特徴とする。
【００４６】
本発明にあっては、振動スピーカ１４を剛性の高い前側収容体１０ａ又は後側収容体１０ｂではなく、前側収容体１０ａ又は後側収容体１０ｂよりも柔らかい剛性の低い化粧板１２に固定するため、音質の劣化を防ぐことが可能となる。
【００４７】
本発明に係る表示装置１は、前記振動スピーカ１４は、両面テープＴを介して前記化粧板１２に固定されていることを特徴とする。
【００４８】
本発明にあっては、振動スピーカ１４を、両面テープＴを介して化粧板１２に固定するため、簡便に確実に固定することが可能となる。
【００４９】
本発明に係る表示装置１は、前記収容体１０は、前記振動スピーカ１４の周囲に、前記表示部１３の後側から前側へ向かう方向に突出する第２突起部１６ｂを有することを特徴とする。
【００５０】
本発明にあっては、第２突起部１６ｂを設けることにより、振動スピーカ１４が落下することを確実に防ぐことが可能となる。
【００５１】
本発明に係る表示装置１は、前記後側収容体１０ｂは、前記表示部１３の後側から前側へ向かう方向に突出し、前記突起部１１ｂよりも前記振動スピーカ１４の近傍に形成された第２突起部１６ｂを有することを特徴とする。
【００５２】
本発明にあっては、後側収容体１０ｂに設けた第２突起部１６ｂを突起部１１ｂよりも振動スピーカ１４近傍に設けているため、前側収容体１０ａに伝わる振動は後側収容体１０ｂに伝わる振動よりも小さくなるので、音質の劣化を防ぐことが可能となる。
【００５３】
本発明に係るテレビジョン受信機は、上述のいずれか一つに記載の表示装置１と、テレビジョン放送を受信する受信部１５とを備え、前記受信部１５にて受信したテレビジョン放送に基づいて、前記表示装置１に映像を表示するようにしてあることを特徴とする。
【００５４】
本発明にあっては、収容体に突起部１１ｂを設けているので、振動スピーカ１４の固定が緩んだとしても、位置ずれにより他の部品と接触することを防ぐことが可能となる。
【００５５】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５６】
１      表示装置
１０    キャビネット（収容体）
１０ａ  フロントキャビネット（前側収容体）
１０ｂ  リアキャビネット（後側収容体）
１１ａ  ねじ用ボス
１１ｂ  リブ（突起部）
１２    化粧板
１３    表示部
１４    振動スピーカ
１４ｂ  規制部
１５    チューナ部（受信部）
１６ａ  ねじ挿通孔
１６ｂ  リブ（第２突起部）
Ｔ      両面テープ
【図１】
2016195353.tif 000003
【図２】
2016195353.tif 000004
【図３】
2016195353.tif 000005
【図４】
2016195353.tif 000006
【図５】
2016195353.tif 000007
【図６】
2016195353.tif 000008
【図７】
2016195353.tif 000009
【図８】
2016195353.tif 000010
【図９】
2016195353.tif 000011
【図１０】
2016195353.tif 000012
【図１１】
2016195353.tif 000013